(57)【要約】【課題】差込接続部分を接続された位置で維持する。【解決手段】ロックレバー（５）を有するコネクタ（１）が固定された第１差込接続部分（２）と、接続方向（Ｘ）への移動により第１差込接続部分（２）に接続される第２差込接続部分（３）とを有し、ロックレバー（５）は二つの先端部分（９）を有し、該二つの先端部分（９）は軸（Ｙ）に従って回転するもので第１差込接続部分（２）の取付面（１２）に固定され、先端部分（９）は開放先端部を形成するカムレールを有し、ロックレバー（５）は、カムレールのそれぞれの開放先端部が、第２差込接続部分の突起（３１）に位置する解除位置と突起（３１）のそれぞれがカムレールのロック部位に位置するロック位置との間で回転するのに適しており、先端部分（９）が柔軟に変形し、突起（３１）がロック部位内に入り込み、かつ、第１差込接続部分（２）と第２差込接続部分（３）との間に押付力を働かせる。【選択図】図１
2006339154.tif 000002
【特許請求の範囲】
【請求項１】
ロックレバーを有するコネクタであり、
前記コネクタは、固定された第１差込接続部分と、接続方向における移動によって前記第１差込接続部分に接続されうる第２差込接続部分とを有しており、
前記ロックレバーは、二つの先端部分を有し、
該二つの先端部分は、接続方向に直角な軸に従って回転する仕方で、前記第１差込接続部分の相対する二つの取付面に固定されるのに適したものであって、
前記先端部分のそれぞれは、カムレールを有し、
該カムレールは、開放先端部を形成し、
前記ロックレバーは、前記カムレールのそれぞれの開放先端部が、前記第２差込接続部分の突起のところに位置するのに適しているような解除位置と、前記突起のそれぞれが、前記カムレールのロック部位の中に位置するのに適しているようなロック位置との間で回転するのに適しているものであり、
前記先端部分が、柔軟に変形するのに適していることにより、前記突起が前記ロック部位内に入り込むことを可能にし、かつ、前記第１差込接続部分と前記第２差込接続部分との間に押付力を働かせることを特徴とする、ロックレバーを有するコネクタ。
【請求項２】
前記先端部分のそれぞれが、対応する前記カムレールのカムレール部位に沿って延びる溝を有し、
前記溝の溝先端部が、前記カムレールのカムレール先端部に通じており、
それによって、前記カムレールが、前記溝と共に、柔軟に変形されるのに適した舌状部を形成して、
前記先端部分が、前記カムレールの前記舌状部に働く圧力に応じて変形できるようになっていることを特徴とする、請求項１に記載のコネクタ。
【請求項３】
前記ロック部位が、前記舌状部内に形成された切欠きを有するとき、
前記突起が前記切欠きに位置すると、前記舌状部が弾性によって安定した位置をとるのに適しており、接続力の維持が確保されることを特徴とする、請求項２に記載のコネクタ。
【請求項４】
前記第２差込接続部分が、電子ケースに接続されており、
前記第１差込接続部分が、輸送手段内に組み込まれた電子装置に接続されており、
前記第１差込接続部分が、前記輸送手段に固定されていることを特徴とする、請求項１に記載のコネクタ。
【請求項５】
前記ロックレバーが、横断補強材によって互いにつながれた二つの側面アームを有しており、
前記ロックレバーが、ロック位置にあるときに、
前記側面アームが、前記電子ケースの相対する二つの電子ケース側面に沿って延びるのに適していることを特徴とする、請求項４に記載のコネクタ。
【請求項６】
前記ロックレバーが、ロック位置にあるとき、
前記横断補強材が、前記電子ケースの一つの電子ケース表面に平行に延びるのに適しており、
前記横断補強材の中央部分が、前記電子ケースの前記電子ケース上面からずらされていることを特徴とする、請求項５に記載のコネクタ。
【請求項７】
前記輸送手段が飛行機であって、
前記電子ケースが、前記飛行機の座席の基部の下に配置され、
前記ロックレバーが、ロック位置にあるときに、
前記ロックレバーが、前記基部の平面に平行になるようになっており、
前記基部が、前記ロックレバーに押し付けられるのに適していることで、
前記ロックレバーが、ロック位置に維持されることを特徴とする、請求項６に記載のコネクタ。
【発明の詳細な説明】
【技術分野】
【０００１】
本発明は、ロックレバーを有するコネクタを対象としたものである。
【０００２】
本発明は、とりわけ、しかし限定的にではなく、例えば飛行機にある電子ケースの迅速な接続と分離を可能にするロックレバーを有するコネクタに適したものであり、電子ケースは、例えば、映像や音声の用途のために使われるものである。
【背景技術】
【０００３】
かかる接続の場合には、ケーブルを束ねるプラグ形式による第１差込接続部分の接触要素を、電子ケースに収納されたプラグ形式の第２差込接続部分の相対する接触要素に、取り外し可能な仕方で連結する。
【０００４】
かかるはめ込み要素の接続または分離の操作は、接続の間の力学的応力が大きいときには、実行が困難である。そのうえ、不適切な接続は、不正確な接触を引き起こし、あるいは、接触要素を傷つけさえするおそれがある。
【０００５】
一般に、電子ケースは、飛行機の座席の座面の裏側に位置する基部の下に配置される。このことにより、座席に座っている乗客が電子ケースに影響を及ぼす可能性があるという不都合が生じる。そのうえ、第１差込接続部分と第２差込接続部分が互いに動くおそれがあり、それによって、電子ケースからの分離が引き起こされる可能性がある。ゆえに、かかる接続は信頼性と安全性の問題を提起するのである。
【０００６】
ロックレバーを有するコネクタとして、特許文献１に記載のものが知られている。
該特許文献１には、相手側コネクタの持つ複数のコンタクトとの挿入接触に供される複数のコンタクトが内部に収容配備されるハウジングと、一方向で前記相手側コネクタに嵌合されたときに該相手側コネクタに対して係止されるロック部、および嵌合時並びに該一方向とは反対の逆方向で該相手側コネクタから離脱される離脱時において該一方向および該逆方向を含む一平面とは垂直な方向での押圧操作に供される平坦な押圧面を持つ操作部を一体的に有すると共に、該操作部が該ロック部よりも該一方向で奥側に配置されて前記ハウジングに設けられる弾性を有するロックレバーとを備えたコネクタにおいて、前記ハウジングには、前記ロックレバーにおける前記操作部近傍に前記一方向で該操作部よりも奥側に離間して対向配置されると共に、前記押圧面の高さ以下で少なくとも該操作部を押圧操作した状態で該押圧面よりも高い位置に頂面が配置されるように固定リブが設けられたことを特徴とするコネクタが記載されている。
該特許文献１に記載のコネクタでも、座席に座っている乗客が電子ケースに影響を及ぼす可能性があるという不都合が生じる。
【特許文献１】特開２００４−３１１３９１号公報
【発明の開示】
【発明が解決しようとする課題】
【０００７】
本発明は、上述の不都合の少なくともいくつかを回避するような、ロックレバーを有するコネクタを提案することを目的としており、該コネクタは、二つの差込接続部分のより単純な接続および分離を可能にし、そして、二つの差込接続部分を接続された位置で維持することを可能にするものである。
【課題を解決するための手段】
【０００８】
この目的のために、本発明はロックレバーを有するコネクタを対象としているものであり、前記コネクタは、固定された第１差込接続部分と、接続方向における移動によって前記第１差込接続部分に接続されうる第２差込接続部分とを有しており、前記ロックレバーが有する二つの先端部分は、前記接続方向に直角な軸に従って回転する仕方で、前記第１差込接続部分の相対する二つの取付面に固定されるのに適したものであって、本発明が特徴とするところによると、前記先端部分のそれぞれはカムレールを有し、前記ロックレバーは、前記カムレールのそれぞれの開放先端部が前記第２差込接続部分の突起のところに位置するのに適しているような解除位置と、前記突起のそれぞれが前記カムレールのロック部位の中に位置するのに適しているようなロック位置との間で回転するのに適しているものであって、前記先端部位が柔軟に変形するのに適していることによって、前記突起が前記ロック部位内に入り込むことを可能にし、かつ、前記第１差込接続部分と前記第２差込接続部分との間に押付力を働かせる。
【０００９】
すなわち、本発明の課題を解決するための手段は、添付図面の番号を参照すると、以下のとおりである。
【００１０】
第１に、
ロックレバー（５）を有するコネクタ（１）であり、
前記コネクタ（１）は、固定された第１差込接続部分（２）と、接続方向（Ｘ）における移動によって前記第１差込接続部分（２）に接続されうる第２差込接続部分（３）とを有しており、
前記ロックレバー（５）は、二つの先端部分（９）を有し、
該二つの先端部分（９）は、接続方向にほぼ直角な軸（Ｙ）に従って回転する仕方で、前記第１差込接続部分（２）の相対する二つの取付面（１２）に固定されるのに適したものであって、
前記先端部分（９）のそれぞれは、カムレール（１８）を有し、
該カムレール（１８）は、開放先端部（２０）を形成し、
前記ロックレバー（５）は、前記カムレール（１８）のそれぞれの開放先端部（２０）が、前記第２差込接続部分の突起（３１）のところに位置するのに適しているような解除位置と、前記突起（３１）のそれぞれが、前記カムレール（１８）のロック部位（３２）の中に位置するのに適しているようなロック位置との間で回転するのに適しているものであり、
前記先端部分（９）が、柔軟に変形するのに適していることにより、前記突起（３１）が前記ロック部位（３２）内に入り込むことを可能にし、かつ、前記第１差込接続部分（２）と前記第２差込接続部分（３）との間に押付力を働かせることを特徴とする、ロックレバーを有するコネクタ。
第２に、
前記先端部分（９）のそれぞれが、対応する前記カムレール（１８）のカムレール部位（２２）に沿って延びる溝（２１）を有し、
前記溝（２１）の溝先端部（２３）が、前記カムレール（１８）のカムレール先端部（２４）に通じており、
それによって、前記カムレール（１８）が、前記溝（２１）と共に、柔軟に変形されるのに適した舌状部（２５）を形成して、
前記先端部分（９）が、前記カムレール（１８）の前記舌状部（２５）に働く圧力に応じて変形できるようになっていることを特徴とする、上記第１に記載のコネクタ。
第３に、
前記ロック部位（３２）が、前記舌状部（２５）内に形成された切欠きを有するとき、
前記突起（３１）が前記切欠きに位置すると、前記舌状部（２５）が弾性によって安定した位置をとるのに適しており、接続力の維持が確保されることを特徴とする、上記第２に記載のコネクタ。
第４に、
前記第２差込接続部分（３）が、電子ケース（４）に接続されており、
前記第１差込接続部分（２）が、輸送手段内に組み込まれた電子装置に接続されており、
前記第１差込接続部分（２）が、前記輸送手段に固定されていることを特徴とする、上記第１に記載のコネクタ。
第５に、
前記ロックレバー（５）が、横断補強材（８）によって互いにつながれた二つの側面アーム（６）を有しており、
前記ロックレバー（５）が、ロック位置にあるときに、
前記側面アーム（６）が、前記電子ケース（４）の相対する二つの電子ケース側面（３５）に沿って延びるのに適していることを特徴とする、上記第４に記載のコネクタ。
第６に、
前記ロックレバー（５）が、ロック位置にあるとき、
前記横断補強材（８）が、前記電子ケース（４）の一つの電子ケース上面（３４）にほぼ平行に延びるのに適しており、
前記横断補強材（８）の中央部分（１３）が、前記電子ケース（４）の前記電子ケース上面（３４）からずらされていることを特徴とする、上記第５に記載のコネクタ。
第７に、
前記輸送手段が飛行機であって、
前記電子ケース（４）が、前記飛行機の座席の座面の裏側に位置する基部の下に配置され、
前記ロックレバー（５）が、ロック位置にあるときに、
前記ロックレバー（５）が、前記基部の平面にほぼ平行になるようになっており、
前記基部が、前記ロックレバー（５）に押し付けられるのに適していることで、
前記ロックレバー（５）が、ロック位置に維持されることを特徴とする、上記第６に記載のコネクタ。
【発明の効果】
【００１１】
本発明によると、二つの差込接続部分のより単純な接続および分離を可能にし、そして、二つの差込接続部分を接続された位置で維持することを可能にする。
【発明を実施するための最良の形態】
【００１２】
本発明の実施様態によれば、前記先端部分のそれぞれは、対応する前記カムレールの部位に沿って延びる溝を有し、前記溝の先端は前記カムレールの先端に通じており、それによって、前記カムレールが、前記溝と共に、柔軟に変形されるのに適した舌状部を形成して、前記末端部分が、前記カムレールの前記舌状部に働く圧力に応じて変形できるようになっている。
【００１３】
好ましくは、前記ロック部位が、前記舌状部内に形成された切欠きを有するときひとたび前記突起が前記切欠き内に位置するとき、前記舌状部は、弾性によって安定した位置をとるのに適しており、接続力の維持が確保される。
【００１４】
本発明の一つの実施様態によれば、前記第２差込接続部分は電子ケースに接続されており、前記第１差込接続部分は、輸送手段内に組み込まれた電子装置に接続されており、前記第１差込接続部分は前記輸送手段に固定されている。
【００１５】
有利には、ロックレバーは、横断補強材によって互いにつながれた二つの側面アームを有しており、前記ロックレバーが前記ロック位置にあるときに、前記側面アームは、前記電子ケースの相対する二つの側面に沿って延びるのに適している。
【００１６】
好ましくは、前記ロックレバーが前記ロック位置にあるときに、前記補強材は、前記電子ケースの一つの面にほぼ平行に延びるのに適しており、前記補強材の柄を形成する少なくとも一部分は前記ケースの前記面からずらされている。
【００１７】
本発明の実施様態によれば、前記輸送手段は飛行機であり、前記電子ケースが前記飛行機の座席の座面の裏側に位置する基部の下に配置されていることにより、前記ロックレバーが前記ロック位置にあるときに、前記ロックレバーが前記基部の平面にほぼ平行になるようになっており、前記基部が前記ロックレバーに押し付けられるのに適していることで、前記ロックレバーが前記ロック位置により確実に維持される。
【実施例】
【００１８】
以下に続く説明的で詳細な記述の中で、本発明はよりよく理解され、また、本発明のその他の目的、詳細、特徴および利点がよりはっきりとするものであるが、この記述は本発明の実施形態の純粋に例証的な例として与えられるものであって、限定的なものではなく、添付の簡略な図面を参照している。
【００１９】
これらの図面の内容は、次のとおりである。
図１は、本発明のコネクタの一実施例を単純化した斜視図である。
図２は、図１のコネクタについて、ロックレバーが休止位置にあるとき、第２差込接続部分の突起がレバーに当接している状態を示す斜視図である。
図３は、図２のＩＩＩ領域の拡大図である。
図４は、図１のコネクタについて、第２差込接続部分の突起がロックレバーのカムレール内に挿入されている状態を示す斜視図である。
図５は、図４のＶ領域の拡大図である。
図６は、図１のコネクタについて、突起による圧力によってカムレールが変形している状態を示す斜視図である。
図７は、図６のＶＩＩ領域の拡大図である。
図８は、図１のコネクタについて、ロックレバーがロック位置にある状態を示す斜視図である。
図９は、図８のＩＸ領域の拡大図である。
【００２０】
図１を参照すると、コネクタ１が見えるが、該コネクタ１は、第１差込接続部分２および第２差込接続部分３を有している。
この第１差込接続部分２および第２差込接続部分３の差込接続部分は、はめ込みによって互いに組み合わせられることを目的としている。
第１差込接続部分２は、例えば飛行機の構造に組み込まれた電子装置（図示せず）につながれており、第１差込接続部分２が構造に対して固定されている。
第２差込接続部分３は、電子ケース４につながれている。
電子ケース４は、飛行機の座席の座面の裏側に位置する基部（図示せず）の下に配置されることを目的としている。
第２差込接続部分３は、接続方向Ｘにおける移動によって、第１差込接続部分２に接続されうる。
【００２１】
第２差込接続部分３は、例えば、接触要素（図示せず）として、一列に配置された多数の差込接続ソケットを有する。
差込接続ソケットは、接続された位置において、第１差込接続部分２の相対する接触要素（図示せず）を取り囲むことを目的としており、該接触要素とは、例えばピンである。
かかるコネクタは、それ自体知られているものである。
【００２２】
コネクタ１は、Ｕ字型のロックレバー５を有する。
ロックレバー５は、ほぼ同一な、二つの側面アーム６を有している。
該側面アーム６は、横断補強材８によって一体に形成されている。
各々の側面アーム６は、互いに平行に延びている。
【００２３】
側面アーム６の自由端である先端部分９は、ピボット要素１１によって、回転する仕方で固定されている。
該ピボット要素１１は、第１差込接続部分２の相対する二つの側面である取付面１２に配置されている。
このようにして、ロックレバー５は、Ｘ軸にほぼ直交したＹ軸を中心として、休止位置（図１）とロック位置（図８）との間で、第１差込接続部分２に対して回転することが可能になる。
【００２４】
横断補強材８は、ロックレバー５の取り扱いの際に、柄として役立つ中央部分１３を有しており、これについては後で詳しく述べるものとする。
【００２５】
それぞれの側面アーム６には、横断補強材８を起点として、まっすぐな中間部分１６が存在している。
該中間部分１６は、対応する先端部分１５と直角を形成するように配置されている。
自由端である先端部分９のところでは、それぞれの側面アーム６が末端部分１７を有している。
【００２６】
それぞれの末端部分１７は、ほぼ平らであり、中間部分１６と同じ平面状に配置されている。
それぞれの末端部分１７は、カムレール１８を形成する溝２１を有している。
カムレール１８のカーブは、カムレール１８がピボット要素１１を取り巻くように向けられて形成されている。
カムレール１８の先端であるカムレール先端部１９は、末端部分１７の縁に配置されていて、開口部となる開放先端部２０を形成している。
カムレール１８からピボット要素１１までの距離は、そのカムレール先端部１９からカムレール１８の反対側のカムレール先端部２４へ向かって減少する。
溝２１は、カムレール１８の一つのカムレール部位２２に沿って延びている。
溝２１の溝先端部２３は、カムレール先端部２４へと通じている。
このようにして、カムレール１８は、溝２１と共に、舌状部２５を形成している。
該舌状部２５は、カムレール１８の舌状部２５に働く圧力に応じて柔軟に変形するのに適しているが、これについては後で詳しく述べるものとする。
【００２７】
第２差込接続部分３は、取付面１２に対応した、相対する二つの側面３０のそれぞれに、カムレール１８に係合するのに適した突起３１を有する。
突起３１は、第２差込接続部分３が第１差込接続部分２に当接するときに、それぞれの突起３１が開口部である開放先端部２０のうちの一つのところに配置されている。
【００２８】
カムレール先端部２４の近傍では、舌状部２５が丸みのある切欠きを有している。
該切欠きは、ロックレバー５のロック位置において、突起３１を受けるのに適したロック部位３２である窪みを形成している。
【００２９】
ここで、図１に表されているロックレバー５の休止位置を起点として、第１差込接続部分２と第３差込接続部分３の接続操作について述べる。
【００３０】
この位置において、使用者は、それぞれの突起３１がレバー５の対応する開口部である開放先端部２０に当接するように、第２差込接続部分３を第１差込接続部分２に近づける。
この位置は、図２および図３に表されている。
【００３１】
第２差込接続部分３が、第１差込接続部分２に対して、このように位置付けられたときに、使用者は、ロックレバー５を矢印Ｆ（図４）の向きに、すなわちロック位置に向けて、回転させる。
その結果、それぞれの突起３１は、対応するカムレール１８に挿入される。
この位置は、図４および図５に表されている。
【００３２】
この位置を起点として、使用者がロックレバー５を矢印Ｆの向きに回転し続けると、それぞれの突起３１は、対応するカムレール１８を、カムレール先端部２４の方向へと滑るように移動する。
同時に、第２差込接続部分３は、突起３１に影響を及ぼすカムレール１８のおかげで、第１差込接続部分２に係合する。
第１差込接続部分２が第２差込接続部分３に当接するとき、突起３１によって舌状部２５に働く圧力のために、舌状部２５が弾性によって変形し始める。
【００３３】
突起３１が対応するロック部位３２の窪みの近傍に達するとき、突起３１によって舌状部２５に働く圧力は最大であり、ゆえに、舌状部２５の変形も最大である。
この位置は、図６および図７に表されている。
このとき、使用者がロックレバー５を回転し続けると、図８および図９に表されているように、舌状部２５の変形によって、突起３１がロック部位３２の窪みに位置することが可能になる。
【００３４】
突起３１がロック部位３２の窪みにあるとき、舌状部２５は弾性によって安定した位置を保っている。
これにより、ハードポイント３３ができることとなり、突起３１をロック部位３２である窪みに維持し、第１差込接続部分２と第２差込接続部分３の間に押付力を働かせることが可能になる。
このことによって、とりわけ、カップリングの公差の隔たりを埋め合わせることが可能になる。
この位置において、第１差込接続部分２と第２差込接続部分３との間の接触要素は、正確に接続されている。
【００３５】
さらに、この位置においては、横断補強材８の中央部分１３が、電子ケース上面３４である電子ケース４の表面に平行に、Ｙ軸にほぼ平行に延びている。
横断補強材８の先端部分１５は、ケースの相対する電子ケース側面３５に沿って、Ｘ軸にほぼ直角になるように延びている。
同様に、側面アーム６は、電子ケース側面３５に沿って、Ｘ軸にほぼ平行に延びている。
従って、休止位置にあるロックレバー５が占める体積は最小化され、図８に示すように、ロックレバー５の部分は、厚みが小さく、電子ケース４に沿って延びる。
【００３６】
ロックレバー５は、ロック位置にあるとき、電子ケース４にほぼ平行である。
これにより、電子ケース４は、飛行機の座席の座面の裏側に位置する基部の下で、基部の平面にほぼ平行に、すなわち水平に配置することができる。
基部をロックレバー５に押し付けることは、ロックレバー５を、その水平位置に、すなわち、そのロック位置に維持することに寄与し、それによって、電子ケース４の不慮の分離を防ぐ。
さらに、乗客は、その座席の座面の裏側に位置する基部の下に配置されている電子ケース４に触れることができない。
【００３７】
ここで、ロックレバー５のロック位置を起点として分離操作について述べるが、座席の座面の裏側に位置する基部は、電子ケース４を扱うことができるようにするため、取り除かれている。
使用者がロックレバー５に影響を及ぼし、それをＹ軸の周りで矢印Ｇ（図８）の向きに回転させるとき、ハードポイント３３は、突起３１に対して、レバー５の運動と対立した力を働かせる。
このとき、使用者が同じようにロックレバー５に影響を与え続けると、舌状部２５が変形し、その結果、突起３１がロック部位３２である窪みから出ることになる。
突起３１がロック部位３２である窪みから出て、かつ、使用者がロックレバー５を矢印Ｇの向きに回転し続けたとき、突起３１は、カムレール１８内をカムレール先端部１９の方向へと滑って移動する。
同時に、第１差込接続部分２の接触要素は、第２差込接続部分３の接触要素から外れることになる。
ロックレバー５が、休止位置に達すると、第１差込接続部分２と第２差込接続部分３とが分離する。
【００３８】
ゆえに、ロックレバー５のカムレール１８は、接続および分離の操作中の力をうまく分散することを保証することができ、そのことにより、これらの操作を使用者にとって容易なものにする。
また、ロックレバー５のおかげで、挿入の深さを規定することや、第２差込接続部分３をＸ軸に沿って第１差込接続部分２に対して確実に誘導することも可能になり、それによって、接触要素のゆがみや破損が回避される。
【００３９】
本発明は、ある特定の実施様態との関係において記載されてきたが、当然ながら、これに限定されることはまったくなく、記載された手段と同等の全ての技術を含むものであって、同様に、本発明の範囲に入るのであれば、それらの組み合わせをも含むものである。
【図面の簡単な説明】
【００４０】
【図１】本発明のコネクタの一実施例を単純化した斜視図である。
【図２】図１のコネクタについて、ロックレバーが休止位置にあるとき、第２差込接続部分の突起がレバーに当接している状態を示す斜視図である。
【図３】図２のＩＩＩ領域の拡大図である。
【図４】図１のコネクタについて、第２差込接続部分の突起がロックレバーのカムレール内に挿入されている状態を示す斜視図である。
【図５】図４のＶ領域の拡大図である。
【図６】図１のコネクタについて、突起による圧力によってカムレールが変形している状態を示す斜視図である。
【図７】図６のＶＩＩ領域の拡大図である。
【図８】図１のコネクタについて、ロックレバーがロック位置にある状態を示す斜視図である。
【図９】図８のＩＸ領域の拡大図である。
【符号の説明】
【００４１】
１  コネクタ
２  第１差込接続部分
３  第２差込接続部分
４  電子ケース
５  ロックレバー
６  側面アーム
８  横断補強材
９  先端部分
１１  ピボット要素
１２  取付面
１３  中央部分
１５  先端部分
１６  中間部分
１７  末端部分
１８  カムレール
１９  カムレール先端部
２０  開放先端部
２１  溝
２２  カムレール部位
２３  溝先端部
２４  カムレール先端部
２５  舌状部
３０  側面
３１  突起
３２  ロック部位
３３  ハードポイント
３４  電子ケース上面
３５  電子ケース側面
【図１】
2006339154.tif 000003
【図２】
2006339154.tif 000004
【図３】
2006339154.tif 000005
【図４】
2006339154.tif 000006
【図５】
2006339154.tif 000007
【図６】
2006339154.tif 000008
【図７】
2006339154.tif 000009
【図８】
2006339154.tif 000010
【図９】
2006339154.tif 000011